(57)【要約】【課題】筐体全体を大きくせずに絶縁性が改善される火災報知設備用中継器を得る。【解決手段】火災報知設備用中継器は、略矩形状で一辺に沿って複数の端子が並んだ端子台が配設されたプリント基板と、該プリント基板が内装される略直方体状の筐体と、を有する火災報知設備用中継器において、上記筐体の上記一辺に対面する側壁には、上記端子に接続される複数の電線をそれぞれ挿通させる上記側壁から上記筐体の外部方向に所定の距離だけ延設される電線挿通部を有する。【選択図】図２
2011090389.tif 000002
【特許請求の範囲】
【請求項１】
略矩形状で一辺に沿って複数の端子が並んだ端子台が配設されたプリント基板と、該プリント基板が内装される略直方体状の筐体と、を有する火災報知設備用中継器において、
上記筐体の上記一辺に対面する側壁には、上記端子に接続される複数の電線をそれぞれ挿通させる上記側壁から上記筐体の外部方向に所定の距離だけ延設される電線挿通部を有することを特徴とする火災報知設備用中継器。
【請求項２】
上記筐体は、上面が開口された下ケースと下面が開口された上ケースとから構成され、
上記電線挿通部は、上記一辺に対面する上記下ケースの側壁から外部方向に延設される下側ガイドと上記一辺に対面する上記上ケースの側壁から外部方向に延設される上側ガイドとから構成され、
上記下ケースの側壁の上端部と上記上ケースの側壁の下端部とに上記下ケースと上記上ケースとの互いの水平方向の動きを係止する段部が設けられることを特徴とする請求項１に記載の火災報知設備用中継器。
【請求項３】
上記下ケースは、上記一辺側の側壁と連設された２つの側壁の上記一辺側、および上記一辺側の側壁に相対する側壁の略中央に、各上記側壁の内壁から上部方向に突設されるとともに係合孔を有する係合舌片を有し、
上記上ケースは、上記下ケースの係合舌片と対応する位置に上記係合孔と係合する係合突起を有することを特徴とする請求項２に記載の火災報知設備用中継器。
【請求項４】
上記下ケースは、四方の側壁から内側に延設されたＬ字状の基板用台座と、上記プリント基板の中央に空けられたネジ孔に対応する底壁の位置から上部方向に突設されるとともにネジ穴が設けられた取付台座と、を有することを特徴とする請求項２または３に記載の火災報知設備用中継器。
【発明の詳細な説明】
【技術分野】
【０００１】
この発明は、火災報知設備に用いる火災報知設備用中継器に関するものである。
【背景技術】
【０００２】
火災報知設備に用いる中継器は、端子台が取り付けられたプリント基板が中継器の内部に収納されている。そして、中継器を取付ボックスに取り付ける作業では、取付ボックス内に延びた電線を端子台に接続してから、中継器を取付ボックス内に配置し、最後に化粧枠としてのプレートによって取付ボックスの前面開口を覆うことにより完了する。
ここで、プリント基板は、回路部品が実装上の制約を受けず、且つ実装面積が最大になるように、プリント基板の一辺に沿って端子台が配設されている。このとき、回路部品と電線とが接触しないように絶縁性を考慮して、筐体の一辺側の側壁に挿通孔を設けて、そこから電線を引き出している（例えば、特許文献１参照）。
【先行技術文献】
【特許文献】
【０００３】
【特許文献１】特開２００２−１７０１６８号公報
【発明の概要】
【発明が解決しようとする課題】
【０００４】
しかし、端子台から筐体外部としての挿通孔までの沿面距離（空間距離）は短く設定されてしまうので、絶縁性に悪影響を与えることが考えられる。このとき、筐体の端子台側の側壁全体を端子台から離れるようにすると、筐体全体を大きくしなければならず、筐体の樹脂（材料）量も多くなるし、取付ボックス内への配置作業もし難くなるという問題がある。
【０００５】
この発明は、前記のような課題を解決するためになされたものであり、筐体全体を大きくせずに絶縁性が改善される火災報知設備用中継器を得ることを目的とする。
【課題を解決するための手段】
【０００６】
この発明に係る火災報知設備用中継器は、略矩形状で一辺に沿って複数の端子が並んだ端子台が配設されたプリント基板と、該プリント基板が内装される略直方体状の筐体と、を有する火災報知設備用中継器において、上記筐体の上記一辺に対面する側壁には、上記端子に接続される複数の電線をそれぞれ挿通させる上記側壁から上記筐体の外部方向に所定の距離だけ延設される電線挿通部を有する。
【発明の効果】
【０００７】
この発明に係る火災報知設備用中継器は、プリント基板の端子台が実装された一辺と対面する筐体の側壁から外部に向かって延設される電線挿通部が設けられているので、端子台から筐体の端までの距離が電線挿通部の長さだけ長くなり、充分な外部沿面距離を確保することができるという効果を奏する。
【図面の簡単な説明】
【０００８】
【図１】この発明の実施の形態に係る火災報知設備用中継器の斜視図である。
【図２】この発明の実施の形態に係る火災報知設備用中継器の分解斜視図である。
【図３】この発明の実施の形態に係る火災報知設備用中継器の正面図、平面図、側面図である。
【図４】この発明の実施の形態に係る火災報知設備用中継器の断面図である。
【図５】中継器に電線を接続した様子を示す図である。
【図６】外部沿面距離が伸びた様子を説明するための図である。
【図７】中継器を取付ボックス内に取付けた様子を説明するための図である。
【発明を実施するための形態】
【０００９】
以下、本発明の火災報知設備用中継器の好適な実施の形態につき図面を用いて説明する。
図１は、この発明の実施の形態に係る火災報知設備用中継器の斜視図である。図２は、この発明の実施の形態に係る火災報知設備用中継器の分解斜視図である。図３は、この発明の実施の形態に係る火災報知設備用中継器の正面図、平面図、側面図である。図４は、図３のＡ−Ａ断面での断面図である。
この発明の実施の形態に係る火災報知設備用中継器（以下、中継器と略記する）１は、例えば、受信機と感知器との間の信号を中継する中継器１である。そして、中継器１は、略矩形状で一辺２ａに沿って複数の端子３が並んだ端子台４が配設されたプリント基板２と、プリント基板２が内装される略直方体状の筐体５と、を有する。
そして、筐体５の一側壁５ａに端子３に接続された電線が案内される電線挿通部５ｂが設けられる。
【００１０】
筐体５は、上面が開口された下ケース６と下面が開口された上ケース７とから構成されている。
プリント基板２の一辺２ａに対面する下ケース６の側壁６ａの頂部には略半円状の切り欠き６ｂが複数設けられている。切り欠き６ｂは、端子台４の端子３の数だけ対応して設けられている。そして、切り欠き６ｂを取り囲む側壁６ａの外縁から略垂直に下側ガイド９が延設されている。下側ガイド９の断面は、略櫛状の長方形の一辺に沿って複数の切り欠き６ｂと同じ複数の略半円が抜け落ちていている。つまり、下側ガイド９は、側壁６ａの左右方向に垂設される底壁９ａと、側壁６ａの頂部方向に底壁９ａから垂設される複数の隔壁９ｂとから構成されることによって、各端子３に対応した各切り欠き６ｂを形成している。
【００１１】
また、側壁６ａの切り欠き６ｂにより残った頂部（隔壁９ｂの側壁６ａ側）、側壁６ａに連設される２つの側壁６ｃ、６ｄの頂部、および側壁６ａに相対する側壁６ｅの頂部には、側壁６ａ、６ｃ、６ｄ、６ｅの壁厚の内側に凹状の段部が形成されている。
【００１２】
また、側壁６ｃ、６ｄの一辺２ａ（下側ガイド９）側、および側壁６ｅのおおよそ中央に、各側壁６ｃ、６ｄ、６ｅの内壁から上部方向に突設されるとともに係合孔１１を有する係合舌片１２を有している。
【００１３】
また、側壁６ａ、６ｃ、６ｄ、６ｅから内側に延設されたＬ字状の基板用台座１３と、底壁６ｆのプリント基板２の中央に空けられたネジ孔２ｂに対応する位置から上部方向に突設されるとともにネジ穴１４ａが設けられた取付台座１４と、が設けられている。
【００１４】
プリント基板２の一辺２ａに対面する上ケース７の側壁７ａの頂部には略半円状の切り欠き７ｂが複数設けられている。切り欠き７ｂは、端子台４の端子３の数だけ対応して設けられている。そして、切り欠き７ｂを取り囲む側壁７ａの外縁から略垂直に上側ガイド１６が延設されている。上側ガイド１６の断面は、略櫛状であり、長方形の一辺に沿って複数の切り欠き７ｂと同じ複数の略半円が抜け落ちていている。つまり、上側ガイド１６は、側壁７ａの左右方向に垂設される底壁１６ａと、側壁７ａの頂部方向に底壁１６ａから垂設される複数の隔壁１６ｂとから構成されることによって、各端子３に対応した各切り欠き７ｂを形成している。
【００１５】
また、側壁７ａの切り欠き７ｂにより残った頂部（隔壁１６ｂの側壁７ａ側）、側壁７ａに連設される２つの側壁７ｃ、７ｄの頂部、および側壁７ａに相対する側壁７ｅの頂部は、側壁７ａ、７ｃ、７ｄ、７ｅの壁厚の外側に凹状の段部が形成されている。
【００１６】
また、上ケース７を下ケース６に合わせたとき、側壁６ｃ、６ｄ、６ｅに設けられた係合舌片１２と係合する側壁７ｄ、７ｃの一辺２ａ（上側ガイド１６）側、および側壁７ｅのおおよそ中央の位置であって、各側壁７ｃ、７ｄ、７ｅの内壁側に係合突起１５が設けられている。
【００１７】
また、側壁７ａ、７ｃ、７ｄ、７ｅから内側に延設されたＬ字状の台座１７が設けられている。
筐体５の側壁５ａは、下ケース６の側壁６ａと上ケース７の側壁７ａにより構成されている。また、筐体５の側壁５ａに形成される挿通孔は、各端子３に対応して複数形成されており、下ケース６の１つの切り欠き６ｂと上ケース７の対応する１つの切り欠き７ｂによりそれぞれ構成されている。また、筐体５の側壁５ａから延設される電線挿通部５ｂは、断面略「目」状であり、下ケース６の下側ガイド９の略半円の抜け落ちと上ケース７の上側ガイド１６の略半円の抜け落ちとが合わさって略円となるように、下ケース６の下側ガイド９と上ケース７の上側ガイド１６とが合わさって構成される。つまり、電線挿通部５ｂは、隔壁９ｂと隔壁１６ｂとが合わさって形成された区画壁２３と、該区画壁２３に隣接する区画壁２３とによって、各挿通孔が区分される。区画壁２３によって、各端子３に接続される各電線２１（図５）は、隣接される電線２１との接触を防ぐことができ、干渉により生じるノイズ等の悪影響からの保護が可能となる。
【００１８】
次に、この発明の実施の形態に係る中継器１の取付ボックス２０に取付ける手順を説明する。図５は、中継器１に電線２１を接続した様子を示す図である。図６は、外部沿面距離が伸びた様子を説明するための図である。図７は、中継器１を取付ボックス２０内に取付けた様子を説明するための図である。
【００１９】
プリント基板２に端子台４が１ピン端子３がハンダ付けされることで実装される。
次に、プリント基板２を基板用台座１３上に配置し、プリント基板２のネジ孔２ｂと下ケース６の取付台座１４のネジ穴１４ａを位置合わせしてからネジ１８で固定する。このとき、プリント基板２は、下ケース３内に略内接して内装される。
次に、取付ボックス２０内まで延ばされた電線２１の端部の絶縁皮膜を剥がして導線を端子３に接続する。
次に、下ケース６に上ケース７を被せて筐体５を形成する。すると、係合舌片１２の係合孔１１に係合突起１５が係合されて双方が固定される。
最後に、電線２１と共に中継器１を壁面埋込型の取付ボックス２０内に収容し、取付ボックス２０の前面開口を覆うように化粧プレート２２をねじで取付ける。
【００２０】
この発明の実施の形態に係る中継器１は、プリント基板２の端子台４が実装された一辺２ａと対面する筐体５の側壁から外部に向かって延設される電線挿通部５ｂが設けられているので、端子台４から筐体５の端までの距離が電線挿通部５ｂの長さだけ長くなり、充分な外部沿面距離を確保することができる。
【００２１】
また、下ケース６と上ケース７とが頂部に設けられた段部により水平方向の動きが制止されるので、電線挿通部５ｂを設けた場合であっても、外部衝撃などが加わっても下ケース６と上ケース７とが水平方向に離れることが防がれる。
【００２２】
また、下ケース６の係合舌片１２の係合孔１１に上ケース７の係合突起１５が係合するので、外部衝撃などが加わっても下ケース６と上ケース７とが上下方向に離れることが防げる。
【００２３】
また、下ケース６の側壁６ａ、６ｃ、６ｄ、６ｅの上端部に設けられた段部は、内側が凹部となっているので、係合舌片１２の全長を長くすることができ、容易に撓んで上ケース７と係合することができる。なお、段部の形状として、下ケース６と上ケース７とで入れ替えてもよい。
【００２４】
なお、電線挿通部５ｂを構成する下側ガイド９、上側ガイド１６に設けられた溝は断面が略半円の溝であるが、電線を案内できる形状であればこれに限らない。また、挿通孔は、各端子３に対応してそれぞれ形成したが、全ての端子３に対応する１つの挿通孔としてもよい。
また、係合舌片１２の数が３個であるが、この数に限るものではない。
【符号の説明】
【００２５】
１  火災報知設備用中継器、２  プリント基板、２ａ  一辺、２ｂ  ネジ孔、３  端子、４  端子台、５  筐体、５ａ  側壁、５ｂ  電線挿通部、６  下ケース、６ａ、６ｃ、６ｄ、６ｅ  側壁、６ｂ  切り欠き、６ｆ  底壁、７  上ケース、７ａ、７ｃ、７ｄ、７ｅ  側壁、７ｂ  切り欠き、９  下側ガイド、９ａ  底壁、１１  係合孔、１２  係合舌片、１３  基板用台座、１４  取付台座、１４ａ  ネジ穴、１５  係合突起、１６  上側ガイド、１６ａ  底壁、１６ｂ  隔壁、１７  台座、１８  ネジ、２０  取付ボックス、２１  電線、２２  化粧プレート、２３  区画壁。
【図１】
2011090389.tif 000003
【図２】
2011090389.tif 000004
【図３】
2011090389.tif 000005
【図４】
2011090389.tif 000006
【図５】
2011090389.tif 000007
【図６】
2011090389.tif 000008
【図７】
2011090389.tif 000009